(57)【要約】【課題】クリップに装着した摩擦体の使用時に、摩擦体が外れ難い熱変色性筆記具を提供する。【解決手段】筆記具を構成する筒体３に外周面に、長手方向に沿って延びるクリップ６を具備し、該クリップ６に、熱変色性インキの筆跡を摩擦し、その際に生じる摩擦熱で前記熱変色性インキの筆跡を熱変色可能なゴム状弾性を有する摩擦体７を装着する。前記摩擦体７は、クリップ表面６Ａより外方に隆起した前記熱変色性インキの筆跡を摩擦する摩擦部７Ａと、クリップ裏面６Ｂよりも筒体３側に突出した裏面部７Ｂ、７Ｃとを有し、前記裏面部の少なくとも一部が、前記クリップ６と筒体３間に位置するとともに、前記摩擦部７Ａと裏面部７Ｂとで、前記クリップ６を保持してなる。【選択図】      図２
2014117803.tif 000002
【特許請求の範囲】
【請求項１】
筆記具を構成する筒体に外周面に、該筒体の一方の端部に、長手方向に沿って延びるクリップを具備し、該クリップに、熱変色性インキの筆跡を摩擦し、その際に生じる摩擦熱で前記熱変色性インキの筆跡を熱変色可能なゴム状弾性を有する摩擦体を装着してなる熱変色性筆記具であって、前記摩擦体が、クリップ表面より外方に隆起した前記熱変色性インキの筆跡を摩擦する摩擦部と、前記クリップの裏面よりも筒体側に突出した裏面部とを有し、前記裏面部の少なくとも一部が、前記クリップ片と筒体間に位置するとともに、前記摩擦部と裏面部とで、前記クリップを保持することを特徴とする熱変色性筆記具。
【請求項２】
前記摩擦体の裏面部の少なくとも一部が、前記クリップと筒体間に挟持されていることを特徴とする請求項１に記載の熱変色性筆記具。
【請求項３】
前記クリップに第一係合孔を形成し、前記摩擦体に設けた脚部を、前記クリップの表面側から前記第一係合孔を挿通し、前記摩擦体の脚部に第一係止部を設け、前記第一係合孔に第一係止部を係止して装着することを特徴とする請求項１または２に記載の熱変色性筆記具。
【請求項４】
前記摩擦体が、前記筒体に装着してあることを特徴とする請求項１ないし３の何れか１項に記載の熱変色性筆記具。
【請求項５】
前記筒体に第二係合孔を設けるとともに、前記摩擦体の脚部に第二係止部を設け、前記第二係合孔に前記第二係止部を係止して装着していることを特徴とする請求項４に記載の熱変色性筆記具。
【請求項６】
前記摩擦体の脚部が、前記クリップの表面と筒体との装着部間で伸張した状態で装着してあることを特徴とする請求項４または５に記載の熱変色性筆記具。
【請求項７】
前記クリップと筒体が、前記摩擦体の脚部を介して連設してあることを特徴とする請求項４ないし６の何れか１項に記載の熱変色性筆記具。
【発明の詳細な説明】
【技術分野】
【０００１】
本発明は、筆記具を構成する筒体に外周面にクリップを具備し、該クリップの表面に、熱変色性インキの筆跡を摩擦し、その際に生じる摩擦熱で前記熱変色性インキの筆跡を熱変色可能なゴム状弾性を有する摩擦体を装着してなる熱変色性筆記具に関する。
【背景技術】
【０００２】
従来から、筆記具を構成する筒体の一方の端部外周面に、該筒体の他方の端部に向かって、長手方向に沿って延びるクリップを具備してなる筆記具はよく知られていて、特開２００４−３３０５１３号「塗布具用クリップ組付け構造」等に開示されている。
【０００３】
こうしたクリップを具備してなる筆記具において、特開２０１２−１９２７３０号公報「筆記具用クリップ及び筆記具」」では、クリップに飾り部材を係止し、装着した飾り部材を摩擦体として、熱変色性インキの筆跡を熱変色可能とした筆記具が開示されている。
【先行技術文献】
【特許文献】
【０００４】
【特許文献１】特開２００４−３３０５１３号公報
【特許文献２】特開２０１２−１９２７３０号公報
【発明の概要】
【発明が解決しようとする課題】
【０００５】
しかし、前記した特許文献２など、クリップに摩擦体を装着する場合、摩擦体の使用時に摩擦体が外れないように、強い装着力が必要であった。そのため、摩擦体の装着し難くなる問題があった。
【０００６】
こうした問題を鑑みて、摩擦体をクリップに接着すること、クリップと二色成形により一体に成形すること等が考えられるが、前者は、摩擦体とクリップの接着力や使用する接着剤の種類等、新たな課題が発生し、後者は、クリップ及び摩擦体の形状や材質に制約が発生する問題があった。
【０００７】
本発明はこれらの従来技術に鑑みてなされたものであって、クリップに装着した摩擦体の使用時に、摩擦体が外れ難い熱変色性筆記具を提供することにある。
【課題を解決するための手段】
【０００８】
本発明は、前記問題を解決するために、筆記具を構成する筒体に外周面に、長手方向に沿って延びるクリップを具備し、該クリップに、熱変色性インキの筆跡を摩擦し、その際に生じる摩擦熱で前記熱変色性インキの筆跡を熱変色可能なゴム状弾性を有する摩擦体を装着してなる熱変色性筆記具であって、前記摩擦体が、前記クリップの表面より外方に隆起した前記熱変色性インキの筆跡を摩擦する摩擦部と、前記クリップの裏面よりも筒体側に突出した裏面部とを有し、前記裏面部の少なくとも一部が、前記クリップ片と筒体間に位置するとともに、前記摩擦部と裏面部とで、前記クリップを保持することを特徴とする。
【０００９】
また、前記摩擦体の裏面部の少なくとも一部が、前記クリップと筒体間に挟持されていることを特徴とする。
【００１０】
また、前記摩擦体が、前記筒体に装着してあることを特徴とする。
【００１１】
また、前記クリップに第一係合孔を形成し、前記摩擦体に設けた脚部を、前記クリップの表面側から前記第一係合孔を挿通し、前記摩擦体の脚部に第一係止部を設け、前記第一係合孔に第一係止部を係止して装着することを特徴とする。
【００１２】
さらにまた、前記筒体に第二係合孔を設けるとともに、前記摩擦体の脚部に第一係止部及び第二係止部を設け、前記第一係合孔に第一係止部を係止し、前記第二係合孔に前記第二係止部を係止して装着していることを特徴とする。
【００１３】
また、前記摩擦体の脚部が、前記前記クリップの表面と筒体の内周面間で伸張した状態で装着してあることを特徴とする。
【００１４】
さらにまた、前記クリップと筒体が、前記摩擦体の脚部を介して連設してあることを特徴とする。
【００１５】
本願発明の第１の構成によれば、前記摩擦体が、前記クリップの表面より外方に隆起した前記熱変色性インキの筆跡を摩擦する摩擦部と、前記クリップの裏面よりも筒体側に突出した裏面部とを有し、前記裏面部の少なくとも一部が、前記クリップ片と筒体間に位置するとともに、前記摩擦部と裏面部とで、前記クリップを保持することで、摩擦体を使用するときに、摩擦体を外れ難くする効果を奏する。これは、クリップの表面より外方に隆起した摩擦部を、紙面等に筆記した熱変色性インキの筆跡を摩擦するときに、直接、紙面等に当接しない裏面部によって、表面側の摩擦体の移動を抑制しているためである。
【００１６】
本願発明の第２の構成によれば、前記摩擦体が、前記筒体に装着していることで、摩擦体の外れを効果的に抑制することができる。尚、摩擦体と筒体の装着方法は、特に限定されるものではなく、凹凸嵌合、乗り越し嵌合、圧入嵌合、融着であってもよい。また、摩擦体は、クリップとは別体であり、筒体とも別体であることが好ましいが、筒体と二色成形によって一体に成形することもできる。
【００１７】
本願発明の第３の構成によれば、前記摩擦体の裏面部の少なくとも一部が、前記クリップと筒体間に挟持されていることで、より摩擦体の外れを効果的に抑制するとともに、ゴム状弾性を有する摩擦体が、前記クリップと筒体間に挟持してあることで、クリップをポケット等に挟持した時、クリップの撓みによるクリップと筒体との連設する部分に生じる応力を、挟持した摩擦体が緩和するため、クリップの破損や装着力の低下を抑制する効果も奏する。
【００１８】
本願発明の第４の構成によれば、前記クリップに第一係合孔を形成し、前記摩擦体に設けた脚部を、前記クリップの表面側から前記第一係合孔を挿通し、前記筒体に装着することで、摩擦体を使用するときに、摩擦体の移動を抑制し、摩擦体を外れ難くする効果を奏する。また、摩擦体の脚部を筒体に装着することで、クリップ自体が撓んでも、移動を抑制することができる。
【００１９】
本願発明の第５の構成によれば、前記筒体に第二係合孔を設けるとともに、前記摩擦体の脚部に第一係止部及び第二係止部を設け、前記第一係合孔に第一係止部を係止し、前記第二係合孔に前記第二係止部を係止して装着することで、第一係止部と第二係止部の両者で、摩擦体の外れを抑制することができる。
【００２０】
摩擦体の脚部と第一係合孔、第二係合孔の嵌合方法は、特に限定されるものではなく、凹凸嵌合、乗り越し嵌合、圧入嵌合等、特に限定されるものではないが、クリップ表面から挿通し易く、外れ方向（逆方向）で抵抗の大きい乗り越し嵌合とすることが好ましい。
【００２１】
本願発明の第６の構成によれば、前記摩擦体が、前記クリップの表面と筒体の内周面間で伸張した状態で装着することで、摩擦体がクリップの移動を抑制することができ、摩擦体の使用するとき等に生じるクリップ自体の横ブレや撓みを抑制することができる。
【００２２】
本願発明の第７の構成によれば、前記クリップと筒体が、前記摩擦体の脚部を介して連設することで、クリップをポケット等に挟持した時、クリップの撓みによるクリップと筒体との連設する部分に生じる応力が、ゴム状弾性を有する摩擦体の脚部によって緩和するため、繰り返しによるクリップの挟持力の低下を抑制する効果も奏する。
【００２３】
尚、本発明の筆記具を構成する筒体には、軸筒やキャップ等、筆記具を構成する従来から知られている筒体を適宜用いることができる。
【００２４】
また、摩擦体には、ゴム状弾性を有する弾性体、例えば、シリコーンゴム、フッ素系ゴム、クロロプレンゴム、ニトリルゴム、ポリエステル系ゴム、エチレンプロピレンジエンゴム（ＥＰＤＭ）、スチレン系エラストマー、エステル系エラストマー、オレフィン系エラストマー等、ゴム状弾性を有するゴム、エラストマー等が挙げられ、適宜選択して用いることができる。また、硬さは、ショアＡ硬度４０以上、１００以下が好ましい。
【００２５】
本発明に用いる熱変色性インキには、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２６】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【発明の効果】
【００２７】
本発明は、クリップに装着した摩擦体の使用時に、摩擦体が外れ難い熱変色性筆記具を提供することができた。
【図面の簡単な説明】
【００２８】
【図１】実施形態１の熱変色性筆記具を示す縦断面図である。
【図２】図１における一部省略した要部拡大断面図である。
【図３】図１におけるＡ−Ａ拡大断面図である。
【図４】図１における摩擦体を使用する状態の一例を示す図である。
【図５】実施形態２の熱変色性筆記具を示す縦断面図である。
【図６】図５における一部省略した要部拡大断面図である。
【発明を実施するための形態】
【００２９】
図１〜図３に、実施形態１の熱変色性筆記具１を示す。筆記具１は、前軸２と後軸３を螺着して得た軸筒本体内に収容したボールペンレフィルを、前軸２内に配設したコイルスプリング１２によって、後軸３の後端方向に向かって、摺動自在に付勢して収容してある。また、後軸３内には、回転カム４からなる出没機構が内設される。また、図示はしていないが、後軸３の内面には、カム溝を設けてある。
【００３０】
また、回転カム４の後方には、後軸３の後端から後方に突出するように操作体５が配設される。操作体５の先端部には、回転カム５を前方に移動するとともに回転を誘導するように先端に複数の鋸歯状のカム部（図示せず）を具備している。
【００３１】
後軸３の後端部の側面には、外方に突出する突部３Ａを一体に設けてあり、この突部３Ａにクリップ６を装着してある。具体的には、後軸３の後端部の側面に、外方に向かって突出する突部３Ａを設け、この突部３Ａをクリップ６に設けた内外を連通する係合孔６Ｃに挿通し、突部３Ａに設けた凸部（図示せず）と係合孔６Ｃ内に設けた凸部（図示せず）とを落とし込み係合することで、後軸３の後端部（一方の端部）から先端部（他方の端部）方向に、長手方向に沿って延びるクリップ６を装着してある。
【００３２】
また、クリップ６の表面には、ポリエステル系エラストマーかなる摩擦体７を装着し、クリップ６の表面６Ａより外方に隆起した摩擦部７Ａと、クリップ６の裏面６Ｂよりも後軸３側に突出した裏面部７Ｃとを得ている。具体的には、摩擦体７は、クリップ６の表面６Ａから突出する突部３Ａを覆うとともに、このクリップ表面６Ａから外方に隆起した摩擦部７Ａと、クリップ６の裏面６Ｂ方向に向かって延出する脚部７Ｄと、クリップ６の裏面６Ｂに位置する裏面部７Ｂ、７Ｃとを設けてあり、摩擦体７の摩擦部７Ａと裏面部７Ｂ、７Ｃ間でクリップ６を保持して装着してある。また、クリップ６の後端部側の裏面部７Ｃでは、クリップ６と後軸３間で裏面部７Ｃを圧縮挟持して保持している。
【００３３】
また、摩擦体７を装着したクリップ６の後端部は、クリップ６の後端に向かって、熱変色性筆記具の軸心Ｊ側へ傾斜して設けて、熱変色性筆記具の軸心Ｊから摩擦部７Ａの先端部に対向するクリップ表面６Ａまでの距離Ｈに比べ、熱変色性筆記具の軸心Ｊからクリップ表面６Ａまでの距離Ｋを短くすることで、熱変色性筆記具の軸心Ｊから距離が一定距離であっても摩擦部７Ａの先端部（他方の端部）側におけるクリップ表面６Ａからの肉厚Ｌに対し、摩擦部７Ａの後端部（一方の端部）側のクリップ表面７Ａからの肉厚Ｍを厚くしてある。さらにまた、前記熱変色性筆記具の軸心からの距離が最も離間している摩擦部７Ａの頂部Ｔは、摩擦部７Ａの長手方向において、摩擦部７Ａの後端部に設けてあり、摩擦部７Ａの後端部が、最も厚い肉厚となる部分としてある。
【００３４】
ボールペンレフィル８は、ステンレス鋼線材からなるチップ本体に、ボール抱持室と、ボール抱持室の中央にインキ流通孔と、このインキ流通孔に連通する放射状に延び、チップ後部孔に達しないインキ流通溝を有するとともに、ボール抱持室の底壁に、φ０．３８ｍｍのタングステンカーバイド製のボールを載置し、チップ先端部のかしめ部を内側にかしめることにより、ボールの一部がチップ先端縁より突出するように回転自在に抱持したボールペンチップ１１を、インキ収容筒９の先端部に、チップホルダー１０を介して装着してある。
【００３５】
また、インキ収容筒９内には、平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性の水性ボールペン用インキ（図示せず）と、このインキの後端に、グリース状のインキ追従体（図示せず）を直に収容してある。
【００３６】
熱変色性筆記具１を使用するには、ボールペンチップ１１の先端部が前軸２の先端開口部２Ａに没入した状態から、後軸３の後方に突出して配設した操作体５をコイルスプリング１２の付勢力に抗して、前軸２の先端開口部２Ａ方向に押圧操作すると、操作体５のカム部が回転カム４を作動させ、ボールペンチップ１１の先端部を、前軸２の先端開口部２Ａから突出した状態を維持して筆記することができる。前記した出没機構は、回転カム４からなる従来から知られている出没機構であって、ボールペンチップ１１を、前軸２の先端開口部２Ａから出没可能とするものである。
【００３７】
また、図４に示すとおり、この摩擦体９をノート等の筆記面Ｕに筆記した筆跡に圧接し、擦ることで発生する熱によって、熱変色性インキの筆跡を熱消色又は熱変色させることができる。
【００３８】
図５、図６に、実施形態２の熱変色性筆記具２１を示す。熱変色性筆記具２１は、クリップ２６に第一係合孔２６Ｃ、後軸１３に第二係合孔２３Ａを設け、摩擦部２７Ａからクリップの裏面方向に向かって延出する脚部２７Ｄを、クリップ２６の表面２６Ａ側から第一係合孔２６Ｃを挿通し、第二係合孔２３Ａに挿通するとともに、摩擦体２７の脚部２７Ｄに第一係止部２７Ｂ及び第二係止部２７Ｃを設け、第一係合孔２６Ｃに第一係止部２７Ｂを係止し、前記第二係合孔１３Ａに第二係止部１７Ｃを係止して装着し、クリップ２６と後軸２３が、摩擦体２７の脚部２７Ｄを介して連設した以外は、実施形態１と同様にして熱変色性筆記具を得ている。
【００３９】
摩擦体２７の脚部２７Ｄに設けた第一係止部２７Ｂは、クリップ２６の裏面２６Ｂに位置し、且つクリップ２６の裏面２６Ｂよりも後軸２３側に突出した裏面部とを兼備している。また、第二係止部２７Ｅは、後軸２３内に位置して装着してある。
【００４０】
また、摩擦体２７の脚部２７Ｄは、クリップ表面２６Ａと後軸２３の内面間で伸張した状態で装着してあり、常時、クリップ２６を後軸２３側に付勢する力が加わるようにしてある。さらにまた、クリップ２６と後軸２３を、摩擦体２７の脚部２７Ｄを介して連設することで、クリップ２６を厚手のポケット等に挟持する場合でも、クリップ２６の先端を後軸から大きく離間することができ、且つゴム状弾性によって元に戻り易い。
【００４１】
また、本実施形態では、便宜上、筒体として、回転カムからなる出没機構を具備した出没式筆記具の軸筒を例示しているが、筆記具を構成する筒体であれば、回転繰り出し等、出没機構は特に限定されるものではなく、キャップ式筆記具の軸筒やキャップ本体を筒体としてあってもよい。
【産業上の利用可能性】
【００４２】
本発明の熱変色性筆記具は、出没式筆記具やキャップ式筆記具等、熱変色性筆記具として広く利用可能である。
【符号の説明】
【００４３】
１、２１  熱変色性筆記具
２  前軸
２Ａ  先端開口部
３、２３  後軸
３Ａ  突部
４  回転カム
５  操作体
６、２６  クリップ
６Ａ、２６Ａ  クリップ表面
６Ｂ、２６Ｂ  クリップ裏面
６Ｃ  係合孔
７、２７  摩擦体
７Ａ、２７Ａ  摩擦部
７Ｂ、７Ｃ  裏面部
７Ｄ、２７Ｄ  脚部
８  ボールペンレフィル
９  インキ収容筒
１０  チップホルダー
１１  ボールペンチップ
１２  コイルスプリング
２３Ａ  第二係合孔
２６Ｃ  第一係合孔
２７Ｂ、２７Ｃ  第一係止部（裏面部）
２７Ｅ  第二係止部（裏面部）
Ｈ  摩擦部の他方の端部に対向するクリップ表面までの距離
Ｋ  摩擦部の一方の端部に対向するクリップ表面までの距離
Ｌ  クリップ表面からの摩擦部の他方の端部の肉厚
Ｍ  クリップ表面からの摩擦部の一方の端部の肉厚
Ｕ  筆記面
【図１】
2014117803.tif 000003
【図２】
2014117803.tif 000004
【図３】
2014117803.tif 000005
【図４】
2014117803.tif 000006
【図５】
2014117803.tif 000007
【図６】
2014117803.tif 000008